(57)【特許請求の範囲】
【請求項１】
取水口から取水した海水に塩素を注入し、塩素が注入された海水を復水器の冷却水として用い、冷却水として用いた後の海水を放水口から放水する発電プラントにおいて、放水された海水の残留塩素濃度を分析する残留塩素濃度分析装置であって、
前記取水口で、塩素が注入される前の海水の塩素濃度である取水口濃度を、設定された取水口測定時刻に測定する取水口塩素測定手段と、
前記放水口で、冷却水として用いられた後の海水の塩素濃度である放水口濃度を、設定された放水口測定時刻に測定する放水口塩素測定手段と、
前記取水口測定時刻と前記放水口測定時刻との対応関係を、前記取水口測定時刻に前記取水口を通過した海水が前記放水口測定時刻に前記放水口に到達する対応関係となるように、設定する測定時刻設定手段と、
前記取水口塩素測定手段によって測定された前記取水口濃度と、前記放水口塩素測定手段によって測定された前記放水口濃度との濃度差から残留塩素濃度を算出する残留塩素濃度算出手段と、
を備える残留塩素濃度分析装置。
【請求項２】
前記測定時刻設定手段は、前記取水口から前記放水口までの流路の距離と、前記流路を流れる速度とに基づいて、前記取水口測定時刻から前記放水口測定時刻を算出し、算出した前記放水口測定時刻を設定する、
請求項１に記載の残留塩素濃度分析装置。
【請求項３】
前記測定時刻設定手段は、日付ごとの時刻と潮位とを対応付けた潮位表に基づいて、時刻ごとの潮位の差を算出し、算出した潮位の差のうち最も差が小さい時刻を前記取水口測定時刻として設定する、
請求項１又は２に記載の残留塩素濃度分析装置。
【請求項４】
請求項１に記載の残留塩素濃度分析装置が実行する方法であって、
前記測定時刻設定手段が、前記取水口測定時刻と前記放水口測定時刻との対応関係を、前記取水口測定時刻に前記取水口を通過した海水が前記放水口測定時刻に前記放水口に到達する対応関係となるように、設定する測定時刻設定ステップと、
前記取水口塩素測定手段が、前記取水口で、塩素が注入される前の海水の塩素濃度である取水口濃度を、設定された取水口測定時刻に測定する取水口塩素測定ステップと、
前記放水口塩素測定手段が、前記放水口で、冷却水として用いられた後の海水の塩素濃度である放水口濃度を、設定された放水口測定時刻に測定する放水口塩素測定ステップと、
前記残留塩素濃度算出手段が、前記取水口塩素測定ステップによって測定された前記取水口濃度と、前記放水口塩素測定ステップによって測定された前記放水口濃度との濃度差から残留塩素濃度を算出する残留塩素濃度算出ステップと、
を備える方法。
【発明の詳細な説明】
【技術分野】
【０００１】
本発明は、残留塩素濃度分析装置及び方法に関する。
【背景技術】
【０００２】
従来より、発電プラントにおいてタービンで用いられた蒸気を冷却して水にする復水器は、冷却水として海水を用いている。海水を用いると、復水器の冷却管内にムラサキイガイ等の海生生物が付着・繁殖することにより、冷却効率の低下や圧損の増加等の障害が発生し易い。このような障害を防止するために、復水器の入口近傍で海水に微量の塩素を注入して海生生物の繁殖を防止しているが、塩素が注入された海水は、注入された塩素の残量が環境保全協定値を超過しないようにする必要がある。このような塩素の処理において、注入された塩素の残量を測定するための技術や、注入する塩素の量を抑制するための技術を開示する特許文献１や特許文献２が知られている。
【０００３】
特許文献１には、各種生物付着防止剤の使用量を必要最小限に抑えつつ、十分な付着防止効果が得られる海生生物付着制御方法が開示されている。この海生生物付着制御方法は、生物付着防止剤が塩素剤からなる場合に、例えば、ＤＰＤ比色法により残留塩素濃度を測定する。
【０００４】
特許文献２には、水生生物に対し薬液を用いて効果的にバイオアッセイを行う装置が開示されている。この装置は、薬液タンク中の残留塩素濃度を制御するために、塩素濃度制御装置が、電解装置に設けられ、残留塩素を測定することが記載されている。
【先行技術文献】
【特許文献】
【０００５】
【特許文献１】特開２００４−２７５９７０号公報
【特許文献２】特開２００７−０４３９４３号公報
【発明の概要】
【発明が解決しようとする課題】
【０００６】
ここで、環境保全協定に定める復水器冷却排水（海水）の残留塩素濃度の測定方法は、従来のｏ−トリジン法からＤＰＤ（ジエチル−ｐ−フェニレンジアンモニウム）法に変更され、ＤＰＤ法で冷却排水の残留塩素を分析した場合、海水中の濁度や溶解した重金属等が妨害物質となり、塩素無注入状態においても環境保全協定値を超過する結果となることがある。
【０００７】
そこで、塩素が注入され、冷却水として用いられた後の海水の残留塩素を正確に分析する装置が求められている。
【０００８】
本発明は、塩素が注入され、冷却水として用いられた後の海水の残留塩素を正確に分析する残留塩素濃度分析装置及び方法を提供することを目的とする。
【課題を解決するための手段】
【０００９】
本発明では、以下のような解決手段を提供する。
（１）  取水口から取水した海水に塩素を注入し、塩素が注入された海水を復水器の冷却水として用い、冷却水として用いた後の海水を放水口から放水する発電プラントにおいて、放水された海水の残留塩素濃度を分析する残留塩素濃度分析装置であって、前記取水口で、塩素が注入される前の海水の塩素濃度である取水口濃度を、設定された取水口測定時刻に測定する取水口塩素測定手段と、前記放水口で、冷却水として用いられた後の海水の塩素濃度である放水口濃度を、設定された放水口測定時刻に測定する放水口塩素測定手段と、前記取水口測定時刻と前記放水口測定時刻との対応関係を、前記取水口測定時刻に前記取水口を通過した海水が前記放水口測定時刻に前記放水口に到達する対応関係となるように、設定する測定時刻設定手段と、前記取水口塩素測定手段によって測定された前記取水口濃度と、前記放水口塩素測定手段によって測定された前記放水口濃度との濃度差から残留塩素濃度を算出する残留塩素濃度算出手段と、を備える残留塩素濃度分析装置。
【００１０】
（１）の構成によれば、本発明に係る残留塩素濃度分析装置は、設定された取水口測定時刻に取水口濃度を測定し、取水口を通過した海水が放水口に到達する放水口測定時刻に放水口濃度を測定し、測定した取水口濃度と測定した放水口濃度との濃度差から残留塩素濃度を算出する。
【００１１】
したがって、本発明に係る残留塩素濃度分析装置は、塩素が注入される前の海水の塩素濃度と、塩素が注入され冷却水として用いられた後の海水の塩素濃度との濃度差から残留塩素濃度を算出するので、海水中の濁度や溶解した重金属等の妨害物質に関わらず、塩素が注入され、冷却水として用いられた後の海水の残留塩素を正確に分析することができる。
【００１２】
（２）  前記測定時刻設定手段は、前記取水口から前記放水口までの流路の距離と、前記流路を流れる速度とに基づいて、前記取水口測定時刻から前記放水口測定時刻を算出し、算出した前記放水口測定時刻を設定する、（１）に記載の残留塩素濃度分析装置。
【００１３】
したがって、（２）に係る残留塩素濃度分析装置は、取水口で測定され、塩素が注入された海水が冷却水として用いられた後に放水口に到達した時刻に、放水口で塩素濃度を測定し、取水口濃度と放水口濃度との濃度差から残留塩素を算出するので、海水中の濁度や溶解した重金属等の妨害物質に関わらず、海水の残留塩素をより正確に分析することができる。
【００１４】
（３）  前記測定時刻設定手段は、日付ごとの時刻と潮位とを対応付けた潮位表に基づいて、時刻ごとの潮位の差を算出し、算出した潮位の差のうち最も差が小さい時刻を前記取水口測定時刻として設定する、（１）又は（２）に記載の残留塩素濃度分析装置。
【００１５】
したがって、（３）に係る残留塩素濃度分析装置は、１日のうちで潮位の差が最も小さいことによって海水の濁度が小さいことが予想される時間帯に取水口濃度を測定して海水中の濁度による影響を小さくし、取水口濃度と放水口濃度との濃度差から残留塩素を算出するので、海水中の濁度や重金属等の妨害物質に関わらず、冷却水として用いられた後の海水の残留塩素をさらに正確に分析することができる。
【００１６】
（４）  （１）に記載の残留塩素濃度分析装置が実行する方法であって、前記測定時刻設定手段が、前記取水口測定時刻と前記放水口測定時刻との対応関係を、前記取水口測定時刻に前記取水口を通過した海水が前記放水口測定時刻に前記放水口に到達する対応関係となるように、設定する測定時刻設定ステップと、前記取水口塩素測定手段が、前記取水口で、塩素が注入される前の海水の塩素濃度である取水口濃度を、設定された取水口測定時刻に測定する取水口塩素測定ステップと、前記放水口塩素測定手段が、前記放水口で、冷却水として用いられた後の海水の塩素濃度である放水口濃度を、設定された放水口測定時刻に測定する放水口塩素測定ステップと、前記残留塩素濃度算出手段が、前記取水口塩素測定ステップによって測定された前記取水口濃度と、前記放水口塩素測定ステップによって測定された前記放水口濃度との濃度差から残留塩素濃度を算出する残留塩素濃度算出ステップと、を備える方法。
【００１７】
したがって、本発明に係る方法は、（１）と同様に、冷却水として用いられた後の海水の残留塩素を正確に分析することができる。
【発明の効果】
【００１８】
本発明によれば、塩素が注入され、冷却水として用いられた後の海水の残留塩素を正確に分析することができる。さらに、本発明は、環境規制を遵守させ、業務処理の正確性を向上させるように、正確な残留塩素濃度を提供することができる。
【図面の簡単な説明】
【００１９】
【図１】本発明の一実施形態に係る残留塩素濃度分析装置の機能構成を示す図である。
【図２】本発明の一実施形態に係る残留塩素濃度分析装置が対象とする発電プラントにおける復水器の冷却水の流れの例を示す図である。
【図３】本発明の一実施形態に係る取水口濃度ＤＢの例を示す図である。
【図４】本発明の一実施形態に係る放水口濃度ＤＢの例を示す図である。
【図５】本発明の一実施形態に係る残留塩素濃度分析装置の処理内容を示すフローチャートである。
【発明を実施するための形態】
【００２０】
以下、本発明の実施形態について図を参照しながら説明する。図１は、本発明の一実施形態に係る残留塩素濃度分析装置１０の機能構成を示す図である。図２は、本発明の一実施形態に係る残留塩素濃度分析装置１０が対象とする発電プラント１における復水器３０１の冷却水の流れの例を示す図である。
【００２１】
図２が示すように、発電プラント１において、取水口４１１から取水された海水は、塩素が注入され、循環ポンプ３０２によって、復水器３０１に冷却水として流入する。さらに、冷却水として復水器３０１に流入した海水は、冷却管を流れて熱交換により、ボイラー１０１からタービン１０２を経た蒸気を冷却し、復水器３０１の出口を経て放水口４１２で海に放水される。残留塩素濃度分析装置１０は、放水された海水の残留塩素濃度を分析する。
【００２２】
図１において、残留塩素濃度分析装置１０は、取水口塩素測定部１１と、放水口塩素測定部１２と、測定時刻設定部１３と、残留塩素濃度算出部１４とを備える。以下、各部ごとに詳述する。
【００２３】
取水口塩素測定部１１は、取水口４１１で、塩素が注入される前の海水の塩素濃度である取水口濃度を、設定された取水口測定時刻に測定する。具体的には、取水口塩素測定部１１は、取水口４１１の近傍に設置された塩素濃度測定器（取水口塩素測定器４０１という。）によって測定された塩素濃度であって、塩素が注入されていない海水の塩素濃度を、無線又は有線で受信する。塩素濃度は、ＪＩＳ  Ｋ０１０２−３３．２のジエチル−ｐ−フェニレンジアンモニウム（ＤＰＤ）比色法に準拠した方法で測定される。取水口塩素測定器４０１は、取水口測定時刻に測定するように、例えば、タイマーと組み合わされていて、定期的に測定した塩素濃度を測定時刻と共に送信する。また、取水口塩素測定器４０１は、取水口塩素測定部１１から取水口測定時刻に測定開始信号を受信して測定するとしてもよい。
【００２４】
取水口塩素測定部１１は、受信した取水口濃度と、取水口測定時刻とを対応付けて記憶させる。例えば、図３が示す様に、取水口濃度ＤＢ３１は、取水口測定時刻に取水口濃度を対応付けて記憶している。
【００２５】
放水口塩素測定部１２は、放水口４１２で、冷却水として用いられた後の海水の塩素濃度である放水口濃度を、設定された放水口測定時刻に測定する。具体的には、放水口塩素測定部１２は、取水口塩素測定部１１と同様に、放水口４１２の近傍に設置された塩素濃度測定器（放水口塩素測定器４０２という。）によって測定された塩素濃度であって、冷却水として用いられた後の海水の塩素濃度を、無線又は有線で受信する。放水口塩素測定器４０２は、取水口塩素測定器４０１と同じ方法で、放水口測定時刻に測定するように、例えば、タイマーと組み合わされていて、定期的に測定した塩素濃度を測定時刻と共に送信する。また、放水口塩素測定器４０２は、放水口塩素測定部１２から放水口測定時刻に測定開始信号を受信して測定するとしてもよい。
【００２６】
放水口塩素測定部１２は、受信した放水口濃度と、放水口測定時刻とを対応付けて記憶させる。例えば、図４が示す様に、放水口濃度ＤＢ３２は、放水口測定時刻に放水口濃度を対応付けて記憶している。
【００２７】
測定時刻設定部１３は、取水口測定時刻と放水口測定時刻との対応関係を、取水口測定時刻に取水口４１１を通過した海水が放水口測定時刻に放水口４１２に到達する対応関係となるように、設定する。具体的には、測定時刻設定部１３は、取水口４１１を通過した海水が放水口４１２に到達するまでの到達時間を、取水口４１１から放水口４１２までの流路の距離と、流路を流れる速度とに基づいて算出する。そして、測定時刻設定部１３は、算出した到達時間と取水口測定時刻とから放水口測定時刻を算出し、算出した放水口測定時刻を設定する。取水口測定時刻は、例えば、発電プラント１における統計データに基づいて取水量が多い時刻に設定されるとしてもよい。
【００２８】
なお、到達時間は、取水口４１１から放水口４１２までの流路の距離と、流路を流れる平均速度とに基づいて、予め算出されているとしてもよい。また、流路に配置されている循環ポンプ３０２による流量と到達時間とを対応付けて記憶した到達時間表を備え、測定時刻設定部１３は、循環ポンプ３０２からの流量データを受信して、受信した流量に対応する到達時間を到達時間表に基づいて求めるとしてもよい。
【００２９】
残留塩素濃度算出部１４は、取水口塩素測定部１１によって測定された取水口濃度と、放水口塩素測定部１２によって測定された放水口濃度との濃度差から残留塩素濃度を算出する。すなわち、残留塩素濃度算出部１４は、残留塩素濃度（ｍｇ／ｌ）＝放水口濃度−取水口濃度を算出する。具体的には、残留塩素濃度算出部１４は、取水口濃度ＤＢ３１に記憶された取水口濃度と、取水口濃度に対応付けられた取水口測定時刻とを取得する。次に、取得した取水口測定時刻に対応する放水口測定時刻を求め、求めた放水口測定時刻に放水口濃度ＤＢ３２において対応付けられた放水口濃度を求め、取得する。そして、残留塩素濃度算出部１４は、取得した取水口濃度と、取得した放水口濃度との濃度差から残留塩素濃度を算出する。残留塩素濃度算出部１４は、算出した残留塩素濃度を、図４が示す様に、放水口濃度ＤＢ３２に記憶させてもよい。
【００３０】
さらに、測定時刻設定部１３は、潮位表４０に基づいた時刻を、取水口測定時刻として設定する。潮位表４０は、気象庁が予測している潮位の予測値（天文潮位）を記憶し、日付ごとの時刻に対応付けて潮位が予め算出されていて、例えば、インターネット通信により参照したり、ダウンロードすることができる。測定時刻設定部１３は、潮位表４０に基づいて、時刻ごとの潮位の１時間当たりの変化を算出し、算出した潮位の差のうち最も差が小さい時刻を求め、求めた時刻を取水口測定時刻として設定する。
そして、取水口塩素測定部１１は、設定された取水口測定時刻に、測定開始信号を取水口塩素測定器４０１に送信し、送信された測定開始信号によって測定した取水口塩素測定器４０１から取水口濃度を受信する。
したがって、ＤＰＤ法による取水口塩素測定器４０１は、１日のうちで潮位の差が最も小さいことによって海水の濁度が小さいことが予想される取水口測定時刻に、塩素濃度を測定することができる。
【００３１】
図５は、本発明の一実施形態に係る残留塩素濃度分析装置１０の処理内容を示すフローチャートである。残留塩素濃度分析装置１０は、コンピュータ及びその周辺装置が備えるハードウェア並びに該ハードウェアを制御するソフトウェアによって構成され、以下の処理は、残留塩素濃度分析装置１０の制御部（例えば、ＣＰＵ）が所定のソフトウェアに従い実行する処理である。
【００３２】
ステップＳ１１において、残留塩素濃度分析装置１０（測定時刻設定部１３）は、取水口測定時刻と、放水口測定時刻とを設定する。より具体的には、残留塩素濃度分析装置１０は、インターネット通信により潮位表を参照し、測定日の潮位の差のうち最も差が小さい時刻を求め、求めた時刻を取水口測定時刻として設定し、循環ポンプ３０２の流量を受信して海水が流れる速度を算出し、算出した速度により到達時間を算出し、算出した到達時間と設定した取水口測定時刻とから放水口測定時刻を求め、求めた放水口測定時刻を設定する。その後、残留塩素濃度分析装置１０は、処理をステップＳ１２に移す。
【００３３】
ステップＳ１２において、残留塩素濃度分析装置１０（取水口塩素測定部１１）は、取水口濃度を測定する。より具体的には、残留塩素濃度分析装置１０は、ステップＳ１１で設定された取水口測定時刻になると、測定開始信号を取水口塩素測定器４０１に送信し、送信された測定開始信号によって測定した取水口塩素測定器４０１から、塩素が注入されていない海水の塩素濃度を受信し、取水口濃度ＤＢ３１に記憶させる。その後、残留塩素濃度分析装置１０は、処理をステップＳ１３に移す。
【００３４】
ステップＳ１３において、残留塩素濃度分析装置１０（放水口塩素測定部１２）は、放水口濃度を測定する。より具体的には、残留塩素濃度分析装置１０は、ステップＳ１１で設定された放水口測定時刻になると、測定開始信号を放水口塩素測定器４０２に送信し、送信された測定開始信号によって測定した放水口塩素測定器４０２から、冷却水として用いられた後の海水の塩素濃度を受信し、放水口濃度ＤＢ３２に記憶させる。その後、残留塩素濃度分析装置１０は、処理をステップＳ１４に移す。
【００３５】
ステップＳ１４において、残留塩素濃度分析装置１０（残留塩素濃度算出部１４）は、取水口濃度と、放水口濃度との濃度差から残留塩素濃度を算出する。より具体的には、残留塩素濃度分析装置１０は、取水口濃度ＤＢ３１に記憶された取水口濃度と、取水口濃度に対応付けられた取水口測定時刻とを取得し、取得した取水口測定時刻に対応する放水口測定時刻を求め、求めた放水口測定時刻に放水口濃度ＤＢ３２において対応付けられた放水口濃度を取得し、取得した取水口濃度と、取得した放水口濃度との濃度差から残留塩素濃度を算出する。その後、残留塩素濃度分析装置１０は、処理を終了する。
【００３６】
本実施形態によれば、残留塩素濃度分析装置１０は、取水口測定時刻と放水口測定時刻との対応関係を、取水口測定時刻に取水口４１１を通過した海水が放水口測定時刻に放水口４１２に到達する対応関係となるように、設定し、取水口４１１で、塩素が注入される前の海水の塩素濃度である取水口濃度を、設定された取水口測定時刻に測定し、放水口４１２で、冷却水として用いられた後の海水の塩素濃度である放水口濃度を、設定された放水口測定時刻に測定し、測定した取水口濃度と、測定した放水口濃度との濃度差から残留塩素濃度を算出する。したがって、残留塩素濃度分析装置１０は、塩素が注入される前の海水の塩素濃度と、塩素が注入され冷却水として用いられた後の海水の塩素濃度との濃度差から残留塩素濃度を算出するので、海水中の濁度や溶解した重金属等の妨害物質に関わらず、塩素が注入され、冷却水として用いられた後の海水の残留塩素を正確に分析することができる。
【００３７】
さらに、残留塩素濃度分析装置１０は、取水口４１１から放水口４１２までの流路の距離と、流路を流れる速度（例えば、循環ポンプ３０２から受信した流量により求めた速度）とから算出した到達時間に基づいて、取水口測定時刻から放水口測定時刻を算出し、算出した放水口測定時刻を設定する。したがって、残留塩素濃度分析装置１０は、取水口４１１で測定した海水の放水口４１２における塩素濃度をより正確に測定することができ、取水口濃度と放水口濃度との濃度差から、海水中の濁度や重金属等の妨害物質に関わらず、より正確に残留塩素濃度を算出することができる。
【００３８】
さらに、残留塩素濃度分析装置１０は、潮位表に基づいて、時刻ごとの潮位の差を算出し、算出した潮位の差のうち最も差が小さい時刻を取水口測定時刻として設定する。したがって、残留塩素濃度分析装置１０は、海水中の濁度による影響を小さくして測定した取水口濃度と、取水口濃度を測定した海水が放水口４１２に到達した時刻に測定した放水口濃度との濃度差から、海水中の濁度や重金属等の妨害物質に関わらず、より正確に残留塩素濃度を算出することができる。
【００３９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００４０】
１      発電プラント
１０    残留塩素濃度分析装置
１１    取水口塩素測定部
１２    放水口塩素測定部
１３    測定時刻設定部
１４    残留塩素濃度算出部
３１    取水口濃度ＤＢ
３２    放水口濃度ＤＢ
４０    潮位表
４０１  取水口塩素測定器
４０２  放水口塩素測定器
【図１】
0005442790.tif 000002
【図２】
0005442790.tif 000003
【図３】
0005442790.tif 000004
【図４】
0005442790.tif 000005
【図５】
0005442790.tif 000006